(57)【特許請求の範囲】
【請求項１】
無線を利用したＲＦＩＤタグを貼付けるための物の管理用台紙であって、
複数の台紙は、ＲＦＩＤタグを貼付ける位置に対して位置と連続番号が一定間隔ずらして表示されていることを特徴とするＲＦＩＤタグ貼付用台紙。
【請求項２】
無線を利用したＲＦＩＤタグを貼付けるための物の管理用容器であって、
複数の容器は、ＲＦＩＤタグを貼付ける位置に対して位置と連続番号が一定間隔ずらして表示されていることを特徴とするＲＦＩＤタグ貼付用容器。
【請求項３】
ＲＦＩＤタグを貼付ける位置を表示する手段は、印刷、シール、凹部又はタグを収容するポケットであることを特徴とする請求項１又は２記載の物の管理用具。
【請求項４】
無線を利用したＲＦＩＤタグを用いた物の管理方法であって、
物に付着される複数の台紙又は物を収容する容器は、ＲＦＩＤを貼付ける位置に対して位置と連続番号が一定間隔ずらして表示されており、
ＲＦＩＤが貼付けられた台紙又は容器を複数重ね合わせるとともに、
重ね合わされた台紙又は容器に貼付けられたＲＦＩＤをＲＦＩＤリーダで一括して読みとることを特徴とするＲＦＩＤタグを用いた物の管理方法。
【発明の詳細な説明】
【技術分野】
【０００１】
本発明は、電波を利用した非接触ＩＣタグであるＲＦＩＤタグに関し、ＲＦＩＤタグを複数貼付けた物の管理方法に関する。本発明でいうＲＦＩＤタグは、ＲＦＩＤインレット、ＲＦＩＤラベル、及びこれに類似して薄い管理対象物に貼付け可能なＲＦＩＤタグ全般を意味する。
【背景技術】
【０００２】
従来、書類などに代表される薄い電波を通す対象物にＲＦＩＤタグを貼付けてＲＦＩＤリーダで読み取る場合、重ねる管理対象物が増えるほど電波干渉の影響を受け易くなり、全てのＲＦＩＤタグを読み取ることは容易ではない。この場合、ＲＦＩＤタグの貼る位置をずらして電波干渉の影響を抑えることが一般的な対策である。下記の特許文献は、この種の技術を開示している。
しかし、ＲＦＩＤタグをずらす間隔を広げれば読み取り易くなる一方で、書類など一定面積当たりの読み取ることができるＲＦＩＤタグ数は少なくなる。書類など一定面積当たりの読み取るＲＦＩＤタグの数を多くするためには、書類など薄い管理対象物に貼り付けたＲＦＩＤタグ同士の間隔を最短距離にし、且つ電波干渉の影響を最小限に抑えるようにする必要があるが、管理対象物が複数毎に重なっているだけに貼付位置を調整するのは簡単な作業ではない。
【特許文献１】特開２００２−２３０４９１号公報
【特許文献２】特開２００５−３４３０８２号公報
【発明の開示】
【発明が解決しようとする課題】
【０００３】
本発明は、複数のＲＦＩＤタグを同時に読み取ることを可能にする個体への貼付け方法の改良に関し、例えば、書類単位にＲＦＩＤタグを付けてリーダで重ね読みをする場合、ＲＦＩＤタグを貼る位置を明確に示す必要がある。例えば、重ねた書類に対して上の書類から順にＲＦＩＤタグを貼る場合、貼付作業として最初の書類に貼るＲＦＩＤタグを仮に右上端の位置にすれば、次に貼る書類ではその位置から少しずらして電波干渉の影響が起きないように間隔を配慮する必要がある。通常、これを書類の全ページにおいて手作業で調整しながら貼り付けなければならず、手間の掛かる作業である。
本発明では、この作業を正確・迅速にするための用具を提供することとその管理方法を課題とする。
【課題を解決するための手段】
【０００４】
上記目的を達成するために、本発明の無線を利用したＲＦＩＤタグを貼付けるための物の管理用台紙は、複数の台紙が、ＲＦＩＤタグを貼付ける位置に対して位置と連続番号が一定間隔ずらして表示されるものである。
また、無線を利用したＲＦＩＤタグを貼付けるための物の管理用容器は、複数の容器が、ＲＦＩＤタグを貼付ける位置に対して位置と連続番号が一定間隔ずらして表示されるものである。
【０００５】
そして、ＲＦＩＤタグを貼付ける位置を表示する手段は、印刷、シール、凹部又はタグを収容するポケットである。
さらに、無線を利用したＲＦＩＤタグを用いた物の管理方法は、物に付着される複数の台紙又は物を収容する容器が、ＲＦＩＤを貼付ける位置に対して位置と連続番号が一定間隔ずらして表示されており、ＲＦＩＤが貼付けられた台紙又は容器を複数重ね合わせるとともに、重ね合わされた台紙又は容器に貼付けられたＲＦＩＤをＲＦＩＤリーダで一括して読みとるものである。
【発明の効果】
【０００６】
書類などの薄い個体にＲＦＩＤタグを付け、これらを重ねてリーダで読み取る場合、ＲＦＩＤタグ間相互の電波干渉の影響を受けないようにずらして貼ることにより、一度の読み取り操作で複数の個体の識別が可能になる。本発明では、ＲＦＩＤタグを貼る最適な位置を予め記した台紙や容器等の用具を用いることにより、貼付ミスを防止し、且つＲＦＩＤタグの貼付作業を軽減できる。
【発明を実施するための最良の形態】
【０００７】
最良の形態は前述で述べた通り、台紙またはクリアホルダによる用具を利用してＲＦＩＤタグの貼付位置を決めることである。
以下、本発明の実施の形態について適宜図面を参照して詳細に説明する。
【０００８】
図１は、本発明を台紙を利用した用具に適用した例を示す。
台紙８は、ＲＦＩＤタグ３を貼り付ける位置２を予め番号とともに表示したものである。
この例では２０個の固体を重ね読みすることを前提に貼付位置２が番号と共に明示されている。従って、ＲＦＩＤタグの貼付作業は単純に貼付位置に沿って番号順に貼っていけばよい。このように貼付作業は非常に簡単になる。図２は、複数の台紙８ａ、８ｂ、８ｃ、８ｄの各貼付位置にＲＦＩＤタグ３ｄ、３ｅ、３ｆ、３ｇを貼り付けて、これら台紙を並べた様子を示す。
保管するときは、台紙と管理対象の書類を１単位として、図６で示した箱型ファイル５に２０単位を重ねたまま収納してもよいし、クリアファイル等に入れてこれを箱型ファイルに収納してもよい。仮に、本用具を使わずに手作業で貼付作業をした場合、貼る作業に時間がかかる上、貼る位置が最適な位置からずれ易く、一部のＲＦＩＤタグが読取れなくなる不具合が起こり得る可能性が大きい。
【０００９】
本台紙８を仕切り紙として活用し、図３に示すようなインデックス部９を付ければ台紙の利便性は向上する。また、書類に穴空け式ファイルに綴じるための穴を開けても支障が無い場合は、クリアホルダや箱型ファイルを使用せず、書類と台紙を重ねて穴空けをし、穴空け式ファイルに綴じて保管、そのままＲＦＩＤリーダで重ね読みが可能である。
【実施例】
【００１０】
図４は、ＲＦＩＤタグ３を貼り付ける位置２を明示したクリアホルダ１を示す。この例では、１０枚の書類の重ね読みができるよう各クリアホルダに貼り付けるタグの位置が１０箇所明示してある。
図５は、３０枚の書類の重ね読みができるよう各クリアホルダに貼り付けるタグの位置が、縦方向に１０箇所、これが横方向に３列、合計３０箇所明示してある。さらに、貼付位置２の順番を示す番号を併せて明示すれば貼付作業は容易になる。
【００１１】
図６は、クリアホルダ１を利用した書類の重ね読みの様子である。貼り付ける位置２を明示したクリアホルダ１に１枚または複数の書類４を収納し、ＲＦＩＤタグ３を明示された位置２に沿って貼ったクリアホルダ１の例と、ＲＦＩＤタグ３ａ、３ｂ、３ｃを各々所定の位置に貼り付けたクリアホルダ１ａ、１ｂ、１ｃをＲＦＩＤリーダ６で重ね読みする場合に、これらを一面が開放された箱型のファイル５に収納し、ファイル５をリーダ６にかざす様子を示す。あるいは、キングファイル等で代表される穴空け式ファイルを利用して重ね読みする場合、穴空け式ファイルに綴じることができる穴の付いたクリアホルダにすることも可能である。
【００１２】
本発明による重ね読みで使用するＲＦＩＤタグは、極力小さい方が重なる部分を最小限にする事ができる。また、ＲＦＩＤタグが大きくても電波干渉の影響が少ない特性のＲＦＩＤタグが適する。これには、２．４５ＧＨｚ帯を利用したいわゆる“ミューチップ”が最適なＲＦＩＤタグの１つである。図７は、Ａ４サイズの台紙８に“ミューチップ”３ｈを貼って５０枚を重ね読みする場合の貼り方を示した説明図である。本図は一見、１枚の台紙に“ミューチップ”を多数貼っているように見えるが、実際は台紙１枚に“ミューチップ”を１つ貼る。本図は５０枚の台紙を重ねた場合の各台紙に貼り付けた“ミューチップ”の位置関係２を示した図である。
【００１３】
“ミューチップ”をＡ４サイズの台紙に貼る場合、本図のように、縦方向に２５個の“ミューチップ”を１ｃｍ間隔でずらして貼り、これを２列計５０個のＲＦＩＤタグを貼り付けることが可能である。また、隣の列の“ミューチップ”とはダイポールアンテナの部分が相互に２ｃｍ程度なら重なっていても支障なく５０枚の一括読み取りが可能である。もちろん、重ねる台紙と書類の順番をどんなに入れ替えても全ての読み取りが可能である。
【図面の簡単な説明】
【００１４】
【図１】ＲＦＩＤタグを貼付ける位置が付番と共に明示された台紙の平面図である。
【図２】ＲＦＩＤタグを番号に沿って貼り付けた一連の台紙の説明図である。
【図３】台紙を穴あけファイルに綴じる穴と仕切り紙としてインデックスを付加した様子を示す説明図である。
【図４】ＲＦＩＤタグの貼付け位置が明示された、書類等を収納するクリアホルダの平面図である。
【図５】位置決めのサインに番号が付いているクリアホルダの平面図である。
【図６】クリアホルダに書類を収納し、クリアホルダを箱型ファイルに収納、これをＲＦＩＤリーダで重ね読みの様子を示す説明図である。
【図７】ＲＦＩＤタグを“ミューチップ”にした場合のＡ４サイズの台紙５０枚に“ミューチップ”を貼り付ける位置関係を示した説明図である。
【符号の説明】
【００１５】
１，１ａ〜１ｃ  書類等を収納するクリアホルダ
２  ＲＦＩＤタグを貼付ける位置を示す印
３，３ａ〜３ｈ  ＲＦＩＤタグまたはＲＦＩＤタグ付きラベル
４  書類などの薄い管理対象物
５  箱型ファイル
６  ＲＦＩＤリーダ
８，８ａ〜８ｄ  台紙
９  台紙に付けるインデックス
【図１】
0005075561.tif 000002
【図２】
0005075561.tif 000003
【図３】
0005075561.tif 000004
【図４】
0005075561.tif 000005
【図５】
0005075561.tif 000006
【図６】
0005075561.tif 000007
【図７】
0005075561.tif 000008